【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
カラーの画像情報を記憶する記憶手段と、
前記記憶手段に記憶されたカラーの画像情報に含まれている検索の対象となる検索画像
の色情報と検索のために参照する複数の参照画像の色情報との色距離を算出する色距離演算手段と、
前記色距離演算手段によって算出された色距離が所定の条件を満たすか否かを判定する色距離判定手段と、
前記色距離判定手段によって前記条件を満たすと判定された色距離に対応する検索画像および参照画像の少なくとも一方の表示態様を変化させる画像処理を行って所定の表示手段に出力する表示設定手段と、
を備えた表示制御装置。
【請求項２】
前記記憶手段に記憶されたカラーの画像情報をモノクロに変換する画像変換手段をさらに備え、前記色距離演算手段は、前記画像変換手段によって変換されたモノクロの複数の参照画像および検索画像が前記表示手段に表示された場合に、操作に応じて選択されたモノクロの参照画像に対応するカラーの参照画像の色情報と表示されたモノクロの検索画像に対応するカラーの検索画像の色情報との色距離を算出し、前記表示設定手段は、表示されたモノクロの検索画像において前記色距離判定手段によって前記条件を満たすと判定された領域をハイライト表示する画像処理を行うことを特徴とする請求項１に記載の表示制御装置。
【請求項３】
前記記憶手段に記憶されたカラーの画像情報をモノクロに変換する画像変換手段をさらに備え、前記色距離演算手段は、前記画像変換手段によって変換されたモノクロの複数の参照画像および検索画像が前記表示手段に表示された場合に、操作に応じて選択されたモノクロの検索画像の領域に対応するカラーの検索画像の色情報と表示されたモノクロの複数の参照画像に対応するカラーの参照画像の色情報との色距離を算出し、前記表示設定手段は、表示されたモノクロの複数の参照画像において前記色距離判定手段によって前記条件を満たすと判定された参照画像をハイライト表示する画像処理を行うことを特徴とする請求項１に記載の表示制御装置。
【請求項４】
前記色距離判定手段は、操作に応じて指定された参照画像の色情報と地図画像において指定した画素の色情報との色距離が前記条件を満たしている場合には、さらに当該色距離が全ての参照画像の色情報と当該指定した画素の色情報との色距離の中で最小であるか否かを判別し、前記表示設定手段は、前記色距離判定手段によって当該色距離が最小であると判定した場合に当該指定した画素をハイライト表示する画像処理を行うことを特徴とする請求項１に記載の表示制御装置。
【請求項５】
前記色距離演算手段は、前記記憶手段に記憶された画像情報がＪＰＥＧ画像で且つその圧縮率が所定値未満の場合、又は、ＪＰＥＧ画像でない場合には、ＹＵＶ空間のＹＵＶ距離若しくはＲＧＢ空間のＲＧＢ距離によって色距離を算出し、前記画像記憶手段に記憶された画像情報が前記特定の画像処理によって圧縮されたＪＰＥＧ画像で且つその圧縮率が所定値以上である場合には、ＹＵＶ空間のＵＶ距離によって色距離を算出することを特徴とする請求項１に記載の表示制御装置。
【請求項６】
コンピュータを、
所定の記憶手段にカラーの画像情報を記憶させる記憶制御手段、
前記記憶制御手段によって前記所定の記憶手段に記憶されたカラーの画像情報に含まれている検索の対象となる検索画像の色情報と検索のために参照する複数の参照画像の色情報との色距離を算出する色距離演算手段、
前記色距離演算手段によって算出された色距離が所定の条件を満たすか否かを判定する色距離判定手段、
前記色距離判定手段によって前記条件を満たすと判定された色距離に対応する検索画像および参照画像の少なくとも一方の表示態様を変化させる画像処理を行って所定の表示手段に出力する表示設定手段、
として機能させることを特徴とする表示制御処理のプログラム。
【手続補正２】
【補正対象書類名】明細書
【補正対象項目名】発明の名称
【補正方法】変更
【補正の内容】
【発明の名称】表示制御装置、表示制御処理のプログラム
【手続補正３】
【補正対象書類名】明細書
【補正対象項目名】０００１
【補正方法】変更
【補正の内容】
【０００１】
本発明は、表示制御装置、表示制御処理のプログラムに関し、特に、カラーの画像情報をモノクロの画像情報に変換して表示する表示制御装置、表示制御処理のプログラムに関するものである。
【手続補正４】
【補正対象書類名】明細書
【補正対象項目名】００１１
【補正方法】変更
【補正の内容】
【００１１】
請求項１に記載の表示制御装置は、カラーの画像情報を記憶する記憶手段と、記憶手段に記憶されたカラーの画像情報に含まれている検索の対象となる検索画像の色情報と検索のために参照する複数の参照画像の色情報との色距離を算出する色距離演算手段と、色距離演算手段によって算出された色距離が所定の条件を満たすか否かを判定する色距離判定手段と、色距離判定手段によって条件を満たすと判定された色距離に対応する検索画像および参照画像の少なくとも一方の表示態様を変化させる画像処理を行って所定の表示手段に出力する表示設定手段とを備えた構成になっている。
【手続補正５】
【補正対象書類名】明細書
【補正対象項目名】００１２
【補正方法】変更
【補正の内容】
【００１２】
請求項１の表示制御装置において、請求項２に記載したように、記憶手段に記憶されたカラーの画像情報をモノクロに変換する画像変換手段をさらに備え、色距離演算手段は、画像変換手段によって変換されたモノクロの複数の参照画像および検索画像が表示手段に表示された場合に、操作に応じて選択されたモノクロの参照画像に対応するカラーの参照画像の色情報と表示されたモノクロの検索画像に対応するカラーの検索画像の色情報との色距離を算出し、表示設定手段は、表示されたモノクロの検索画像において色距離判定手段によって条件を満たすと判定された領域をハイライト表示する画像処理を行うような構成にしてもよい。
【手続補正６】
【補正対象書類名】明細書
【補正対象項目名】００１３
【補正方法】変更
【補正の内容】
【００１３】
請求項１の表示制御装置において、請求項３に記載したように、記憶手段に記憶されたカラーの画像情報をモノクロに変換する画像変換手段をさらに備え、色距離演算手段は、画像変換手段によって変換されたモノクロの複数の参照画像および検索画像が表示手段に表示された場合に、操作に応じて選択されたモノクロの検索画像の領域に対応するカラーの検索画像の色情報と表示されたモノクロの複数の参照画像に対応するカラーの参照画像の色情報との色距離を算出し、表示設定手段は、表示されたモノクロの複数の参照画像において色距離判定手段によって条件を満たすと判定された参照画像をハイライト表示する画像処理を行うような構成にしてもよい。
【手続補正７】
【補正対象書類名】明細書
【補正対象項目名】００１６
【補正方法】変更
【補正の内容】
【００１６】
請求項６に記載の表示制御処理のプログラムは、コンピュータを、所定の記憶手段にカラーの画像情報を記憶させる記憶制御手段、前記記憶制御手段によって前記所定の記憶手段に記憶されたカラーの画像情報に含まれている検索の対象となる検索画像の色情報と検索のために参照する複数の参照画像の色情報との色距離を算出する色距離演算手段、前記色距離演算手段によって算出された色距離が所定の条件を満たすか否かを判定する色距離判定手段、前記色距離判定手段によって前記条件を満たすと判定された色距離に対応する検索画像および参照画像の少なくとも一方の表示態様を変化させる画像処理を行って所定の表示手段に出力する表示設定手段、として機能させることを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
本発明の表示制御装置および表示制御処理のプログラムによれば、インターネット上に存在する道路交通情報などのインタラクティブでない画像情報をインタラクティブな画像情報に設定できるという効果が得られる。
また、本発明の表示制御装置および表示制御処理のプログラムによれば、インターネット上に存在する地図情報などの画像情報が複雑な色であっても、選択された参照画像の色に対応する地図画像の領域を正確に識別できるという効果が得られる。